(57)【特許請求の範囲】
【請求項１】
乳酸エタクリジンが付着した繊維製品を、カチオン界面活性剤及びノニオン界面活性剤からなる群より選ばれる１種以上を含有する、硬度２〜１５°ＤＨの液体で予備洗浄した後、アルカリビルダー及び界面活性剤を含む液体で本洗浄する繊維製品の洗浄方法。
【請求項２】
予備洗浄に用いる液体のｐＨが８以下である請求項１記載の洗浄方法。
【請求項３】
本洗浄に用いる液体の温度が６０℃以上、ｐＨが１０以上である請求項１又は２記載の洗浄方法。
【発明の詳細な説明】
【０００１】
【発明の属する技術分野】
本発明は、乳酸エタクリジン（アクリノール）が付着した繊維製品、特に病院で使用される繊維製品の洗浄方法に関する。
【０００２】
【従来の技術】
病院で使用されるシーツ、枕カバー、包帯、病衣、白衣、手術衣等の繊維製品には、消毒薬である乳酸エタクリジン（商品名；アクリノール）が付着し、黄色に着色する。これら繊維製品は、リネンサプライ等で洗浄された後、病院で再使用されるが、乳酸エタクリジン汚れは洗浄が困難な上、この汚れが付着した繊維製品を塩素系漂白剤で漂白すると、乳酸エタクリジンが更に茶褐色に変色して除去がより一層困難となる。
【０００３】
一方、消毒薬としては、グルコン酸クロルヘキシジン（商品名；ヒビテン）も病院で使用されており、これについても上記同様に塩素系漂白剤による処理に伴う変色の問題が生じる。グルコン酸クロルヘキシジンの問題を解消するものとして、特公昭６０−２４８５９号には、病院衣料を有機酸又は無機酸の酸溶液で洗浄後、次亜塩素酸ソーダを含む洗浄液で洗浄する方法が、特開平１１−２２９２７１号には、病院寝具類を多価カルボン酸又はオキシカルボン酸を含む水溶液で予備洗浄した後、本洗浄する方法が、また特開２０００−９６０９３号には、有機ホスホン酸系キレート剤、有機多価カルボン酸を含有し、２５℃、１重量％水溶液のｐＨが３以下のランドリー用洗浄前処理剤組成物が開示されている。
【０００４】
【発明が解決しようとする課題】
しかし、乳酸エタクリジンが付着して着色した病院用繊維製品の洗浄方法については、従来、十分な検討がされておらず、この汚れを効果的に除去できる方法は見出されていなかった。
【０００５】
本発明の課題は、乳酸エタクリジンが付着して着色した病院用繊維製品を効果的に洗浄できる洗浄方法を提供することである。
【０００６】
【課題を解決するための手段】
本発明は、乳酸エタクリジンが付着した繊維製品を、硬度２〜１５°ＤＨの液体で予備洗浄した後、アルカリビルダー及び界面活性剤を含む液体で本洗浄する繊維製品の洗浄方法に関する。
【０００７】
【発明の実施の形態】
本発明において、予備洗浄に用いられる液体（以下、予備洗浄用液体という）は、液状の洗浄媒体であり、水を含有するものが好ましい。なお、予備洗浄用液体には、ビルダー等、固体成分が存在していてもよい。
【０００８】
予備洗浄用液体は、硬度２〜１５°ＤＨ、好ましくは３〜１１°ＤＨ、より好ましくは４〜８°ＤＨである。ここで、硬度はドイツ硬度であり、これは、水中の硬度成分であるカルシウムとマグネシウムの全量を、ＣａＯ換算でｍｇ／水１００ｍｌで表したものである（単位：°ＤＨ）。
【０００９】
また、予備洗浄用液体は、ｐＨが８以下、更に３〜８、特に５〜７であることが好ましい。ここで、ｐＨは、予備洗浄を行う際の予備洗浄液体の温度におけるｐＨである。
【００１０】
予備洗浄用液体は、この範囲の硬度、更にはｐＨを満たす上で、本発明の効果を損なわない種々の成分を含有することができる。
【００１１】
予備洗浄用液体は、カチオン界面活性剤を含有することが好ましく、カチオン界面活性剤としては、下記一般式（Ｉ）で示される化合物及び／又は下記一般式（II）で示される化合物が好ましい。
【００１２】
【化１】
0003868769.tif 000002
【００１３】
〔式中、Ｒ1、Ｒ2、Ｒ3、Ｒ4のうち少なくとも１つとＲ5は、炭素数８〜２０のアルキル基又はアルケニル基であり、残余はベンジル基、炭素数１〜５のアルキル基もしくはヒドロキシアルキル基又は下記一般式（III）
【００１４】
【化２】
0003868769.tif 000003
【００１５】
で表される基であり、Ｘ-は、ハロゲンイオン又は下記一般式（IV）
【００１６】
【化３】
0003868769.tif 000004
【００１７】
で表される陰イオン（Ｒ6、Ｒ7の少なくとも一方は炭素数６〜２０の直鎖又は分岐鎖のアルキル基又はアルケニル基であり、他方は水素原子、メチル基、エチル基、又は炭素数８〜１８のアルキルリン酸残基である）である。〕。
【００１８】
カチオン界面活性剤は、予備洗浄用液体中に０．０００５〜１重量％、更に０．００１〜０．５重量％、特に０．００２〜０．０５重量％含有されることが好ましい。
【００１９】
また、予備洗浄用液体は、ノニオン界面活性剤を含有することが好ましく、ノニオン界面活性剤としては、下記一般式（Ｖ）で表される化合物が好ましい。
Ｒ8−Ｏ−(ＥＯ)p−(ＰＯ)q−(ＥＯ)r−Ｈ    （Ｖ）
〔式中、Ｒ8は平均炭素数８〜１８のアルキル基又はアルケニル基であり、ＥＯはオキシエチレン基、ＰＯはオキシプロピレン基である。ｐ、ｑ、ｒはそれぞれ平均付加モル数であり、ｐ＞０、好ましくはｐ＝２〜１０、ｒ＞０、好ましくはｒ＝２〜１０、ｑ＝１〜６、好ましくはｑ＝１〜５であり、ｐ＋ｑ＋ｒ＝４〜２０、好ましくは６〜１４である〕。
【００２０】
ノニオン界面活性剤は、予備洗浄用液体中に０．０００５〜１重量％、更に０．００１〜０．５重量％、特に０．００２〜０．０５重量％含有されることが好ましい。
【００２１】
その他に、予備洗浄用液体に配合できる成分として、酵素、香料、色素、溶剤、グリコール類、再汚染防止剤、消泡剤等が挙げられる。
【００２２】
本発明において、病院用繊維製品を予備洗浄する条件には特に制限はなく、被洗物の汚れの状態などに応じて適宜選択することができるが、カチオン界面活性剤が上記濃度となるように予備洗浄用液体を使用し、予備洗浄用液体の硬度とｐＨを前記範囲とし、予備洗浄用液体の温度を５〜７０℃として、１〜２０分洗浄することが好ましい。
【００２３】
本発明においては、予備洗浄に続いて、アルカリビルダー及び界面活性剤を含む液体（以下、本洗浄用液体という）を用いて本洗浄を行う。この本洗浄用液体も、液状の洗浄媒体であり、水を含有するものが好ましい。なお、本洗浄用液体にも固体成分が存在していてもよい。
【００２４】
本洗浄用液体に用いるアルカリビルダーには特に制限はないが、珪酸、炭酸、リン酸及びこれらの塩、好ましくはナトリウム塩を好適に使用できる。
【００２５】
また、本洗浄用液体に用いる界面活性剤としては、予備洗浄用液体で説明した一般式（Ｉ）で示される化合物及び／又は下記一般式（II）で示される化合物等のカチオン界面活性剤、一般式（Ｖ）で表される化合物等のノニオン界面活性剤の他、α−オレフィンスルホン酸塩、直鎖アルキルベンゼンスルホン酸塩、ポリオキシエチレンアルキル硫酸エステル塩、石鹸などの陰イオン界面活性剤を使用することもできる。
【００２６】
その他に、本洗浄用液体には、漂白剤、消泡剤、蛍光増白剤、酵素などを含むことができる。
【００２７】
本洗浄用液体に用いる漂白剤には特に制限はなく、例えば、過炭酸ナトリウム、過酸化水素、過硼酸ナトリウム、過酸化ナトリウムなどの酸素系漂白剤、次亜塩素酸ナトリウム、亜塩素酸ナトリウム、サラシ粉などの塩素系漂白剤、ハイドロサルファイト、チオ硫酸ナトリウム、重亜硫酸ナトリウムなどの還元漂白剤などを挙げることができ、特に、塩素系漂白剤を用いる場合に本発明の効果は顕著となる。
【００２８】
本発明において、病院用繊維製品を本洗浄する条件としては、本洗浄用液体の温度が６０℃以上、更に６０〜９０℃、特に６５〜８５℃、ｐＨが１０以上、更に１１〜１３、特に１１．５〜１２．５であることが、黄変防止効果の点で好ましい。
【００２９】
それ以外の本洗浄の条件は、被洗物の汚れの状態などに応じて適宜選択することができるが、通常は、被洗物に対してアルカリビルダーが０．００２〜０．２重量％、界面活性剤が０．００１〜０．５重量％となるように、本洗浄用液体を使用し、本洗浄用液体の温度及びｐＨを前記範囲として、１〜２０分洗浄することが好ましい。このような条件で本洗浄を行うことにより、病院用繊維製品の汚れを、再汚染を生ずることなく除去し、さらに良好な漂白効果を発揮することができる。
【００３０】
本洗浄後の被洗物は、公知の方法により濯ぎ、脱水、乾燥を行うことが好ましい。
【００３１】
本発明の洗浄方法は、予備洗浄、本洗浄とも、洗浄機を用いる、自動化された洗浄システムで実施できる。
【００３２】
本発明の洗浄方法の対象となる繊維製品としては、病院で使用されるシーツ、枕カバー、包帯、病衣、白衣、手術衣等の病院用の繊維製品であって、乳酸エタクリジンが付着した繊維製品が挙げられる。
【００３３】
【発明の効果】
本発明によれば、消毒薬である乳酸エタクリジンが付着した病院用繊維製品を塩素系漂白剤で漂白洗浄した場合でも、乳酸エタクリジンに起因する着色を生ずることなく洗浄することができる。
【００３４】
【実施例】
実施例１〜７及び比較例１〜５
乳酸エタクリジンの０．１量％水溶液を、１０ｃｍ×１０ｃｍの木綿布に０．５ｇ滴下し、風乾し、人工汚染布とした。
【００３５】
この人工汚染布を表１に示す条件で予備洗浄（４０〜５０℃、５分間）した後、排水、脱水した後、表１に示す条件で本洗浄（３０〜８０℃、１０分間）した。
【００３６】
汚染前の木綿布、洗浄前の人工汚染布及び洗浄後の人工汚染布の４６０ｎｍにおける反射率を、それぞれ測定し、以下の式により洗浄率を算出した。洗浄率が大きいほど、汚れ除去効果が高く良好な結果であることを意味する。
洗浄率（％）＝〔（Ｒ２−Ｒ１）／（Ｒ０−Ｒ１）〕×１００
Ｒ０：汚染前の木綿布の反射率
Ｒ１：本洗浄前の人工汚染布の反射率
Ｒ２：本洗浄後の人工汚染布の反射率
【００３７】
【表１】
0003868769.tif 000005
【００３８】
（注）表１中、実施例１は、本発明の範囲外であるが、参考のため便宜的に実施例の欄に示したものである。
＊１  ノニオン界面活性剤（１）：ポリオキシエチレンラウリルエーテル（花王（株）、エマルゲン１０８）
＊２  ノニオン界面活性剤（２）：日本触媒（株）、ソフタノール７０
＊３  ノニオン界面活性剤（３）：花王（株）、エマルゲンＬＳ１１０
＊４  カチオン界面活性剤：花王（株）、サニゾールＣ